(57)【要約】【課題】膨大な処理部位を搬送される流体を簡単にデータ管理できる流体管理システムを提供する。【解決手段】流体ごとに流体の初期名称と現状名称と処理部位での処理名称とを関連させてデータ記憶しており、少なくとも初期名称がデータ設定されている流体が処理名称がデータ設定されている処理部位に搬入されることがデータ入力されると、その初期名称と処理名称により対応する現状名称をデータ検索する。その現状名称と初期名称と処理名称を処理部位から搬出される流体にデータ設定してデータ管理するので、処理部位から搬出される流体に現状名称を自動的にデータ設定することができ、処理部位から搬出される流体を簡単かつ的確にデータ管理することができる。【選択図】　図１
2004136942.tif 000002
【特許請求の範囲】
【請求項１】
適宜搬送される各種の処理部位ごとに処理される流体をデータ管理する流体管理システムであって、
前記流体の少なくとも一部ごとに前記流体の初期名称と現状名称と前記処理部位での処理名称とを関連させてデータ記憶しているデータ記憶手段と、
前記初期名称と前記現状名称と前記処理名称との少なくとも前記初期名称がデータ設定されている前記流体が前記処理名称がデータ設定されている前記処理部位に搬入されることがデータ入力される搬入入力手段と、
データ入力された前記初期名称とデータ設定されている前記処理名称により対応する少なくとも一つの前記現状名称を前記データ記憶手段からデータ検索する現状検索手段と、
データ検索された前記現状名称とデータ入力された前記初期名称とデータ設定されている前記処理名称とを前記処理部位から搬出される前記流体にデータ設定する名称設定手段と、
データ設定された前記初期名称と前記現状名称と前記処理名称とで前記流体をデータ管理する流体管理手段と、
を有している流体管理システム。
【請求項２】
前記処理部位に搬入される複数の前記流体の少なくとも一部ごとに前記処理の収率をデータ記憶している収率記憶手段と、
前記処理部位に搬入される複数の前記流体の搬入比率がデータ入力される比率入力手段と、
データ入力された前記搬入比率と前記収率とを乗算して前記処理部位から搬出される複数の前記流体の搬出比率を算出する比率算出手段と、
も有している請求項１に記載の流体管理システム。
【請求項３】
前記流体の少なくとも一部ごとに性状をデータ記憶している性状記憶手段と、
前記処理部位から搬出される前記流体の前記現状名称ごとの性状を対応する前記搬出比率と前記性状との乗算により算出する性状算出手段も有している請求項２に記載の流体管理システム。
【請求項４】
前記データ記憶手段が前記処理として前記流体を貯蔵する流体タンクを前記処理部位の一部としてデータ記憶しており、
前記流体管理手段が前記流体タンクに混合されて貯蔵されている複数の前記流体ごとに貯蔵容量もデータ管理し、
前記搬入入力手段に前記流体タンクに搬入される複数の前記流体ごとに搬入容量もデータ入力され、
前記流体タンクから搬出される複数の前記流体ごとに搬出容量がデータ入力される搬出入力手段と、
複数の前記流体ごとの前記貯蔵容量を前記搬入容量の加算と前記搬出容量の減算とでデータ更新する容量算出手段と、
も有している請求項１に記載の流体管理システム。
【請求項５】
前記流体タンクに混合されて貯蔵されている複数の前記流体の貯蔵容量から貯蔵比率を算出する比率算出手段も有している請求項４に記載の流体管理システム。
【請求項６】
前記流体の少なくとも一部ごとに性状をデータ記憶している性状記憶手段と、
前記流体タンクに混合されて貯蔵されている複数の前記流体の個別の前記性状と前記貯蔵比率との乗算により平均的な前記性状を算出する性状算出手段と、
も有している請求項５に記載の流体管理システム。
【請求項７】
前記比率算出手段は、最初に前記現状名称と前記初期名称と前記処理名称とを検索キーとして前記収率記憶手段から前記収率をデータ検索し、これで前記収率がデータ検索されないときは前記現状名称と前記初期名称とを検索キーとし、これで前記収率がデータ検索されないときは前記現状名称を検索キーとする、請求項２または３に記載の流体管理システム。
【請求項８】
前記性状算出手段は、最初に前記現状名称と前記初期名称と前記処理名称とを検索キーとして前記性状記憶手段から前記性状をデータ検索し、これで前記性状がデータ検索されないときは前記現状名称と前記初期名称とを検索キーとし、これで前記性状がデータ検索されないときは前記現状名称を検索キーとする、請求項３または５に記載の流体管理システム。
【請求項９】
前記データ記憶手段が前記処理として前記流体を貯蔵する流体タンクを前記処理部位の一部としてデータ記憶しており、
前記流体管理手段は、前記流体の搬入元の前記処理部位と搬出先の前記処理部位と貯蔵している前記流体とが共通している複数の前記流体タンクを１個としてデータ管理する請求項１ないし８の何れか一項に記載の流体管理システム。
【請求項１０】
適宜搬送される各種の処理部位ごとに処理される流体をデータ管理する流体管理システムのデータ処理方法であって、
前記流体の少なくとも一部ごとに前記流体の初期名称と現状名称と前記処理部位での処理名称とを関連させてデータ記憶しており、
前記初期名称と前記現状名称と前記処理名称との少なくとも前記初期名称がデータ設定されている前記流体が前記処理名称がデータ設定されている前記処理部位に搬入されることのデータ入力を受け付け、
データ入力された前記初期名称とデータ設定されている前記処理名称により対応する少なくとも一つの前記現状名称をデータ検索し、
データ検索された前記現状名称とデータ入力された前記初期名称とデータ設定されている前記処理名称とを前記処理部位から搬出される前記流体にデータ設定し、
データ設定された前記初期名称と前記現状名称と前記処理名称とで前記流体をデータ管理するデータ処理方法。
【請求項１１】
前記処理部位に搬入される複数の前記流体の少なくとも一部ごとに前記処理の収率をデータ記憶しており、
前記処理部位に搬入される複数の前記流体の搬入比率のデータ入力を受け付け、
データ入力された前記搬入比率と前記収率とを乗算して前記処理部位から搬出される複数の前記流体の搬出比率を算出する請求項１０に記載のデータ処理方法。
【請求項１２】
前記流体の少なくとも一部ごとに性状をデータ記憶しており、
前記処理部位から搬出される前記流体の前記現状名称ごとの性状を対応する前記搬出比率と前記性状との乗算により算出する請求項１１に記載のデータ処理方法。
【請求項１３】
適宜搬送される各種の処理部位ごとに処理される流体をデータ管理する流体管理システムのためのコンピュータプログラムであって、
前記流体の少なくとも一部ごとに前記流体の初期名称と現状名称と前記処理部位での処理名称とを関連させてデータ記憶しておくこと、
前記初期名称と前記現状名称と前記処理名称との少なくとも前記初期名称がデータ設定されている前記流体が前記処理名称がデータ設定されている前記処理部位に搬入されることのデータ入力を受け付けること、
データ入力された前記初期名称とデータ設定されている前記処理名称により対応する少なくとも一つの前記現状名称をデータ検索すること、
データ検索された前記現状名称とデータ入力された前記初期名称とデータ設定されている前記処理名称とを前記処理部位から搬出される前記流体にデータ設定すること、
データ設定された前記初期名称と前記現状名称と前記処理名称とで前記流体をデータ管理すること、
を前記流体管理システムに実行させるためのコンピュータプログラム。
【請求項１４】
前記処理部位に搬入される複数の前記流体の少なくとも一部ごとに前記処理の収率をデータ記憶しておくこと、
前記処理部位に搬入される複数の前記流体の搬入比率のデータ入力を受け付けること、
データ入力された前記搬入比率と前記収率とを乗算して前記処理部位から搬出される複数の前記流体の搬出比率を算出すること、
も前記流体管理システムに実行させるための請求項１３に記載のコンピュータプログラム。
【請求項１５】
前記流体の少なくとも一部ごとに性状をデータ記憶しておくこと、
前記処理部位から搬出される前記流体の前記現状名称ごとの性状を対応する前記搬出比率と前記性状との乗算により算出すること、
も前記流体管理システムに実行させるための請求項１４に記載のコンピュータプログラム。
【請求項１６】
適宜搬送される各種の処理部位ごとに処理される流体をデータ管理する流体管理システムのためのコンピュータプログラムが格納されている情報記憶媒体であって、
請求項１３ないし１５の何れか一項に記載のコンピュータプログラムが格納されている情報記憶媒体。
【発明の詳細な説明】
【０００１】
【発明の属する技術分野】
本発明は、流体をデータ管理する流体管理システムに関し、特に、適宜搬送される各種の処理部位ごとに処理される流体をデータ管理する流体管理システムに関する。
【０００２】
【従来の技術】
現在、各種の処理部位を搬送されて各種に処理される流体をデータ管理する流体管理システムが、いわゆる製油所などで利用されている。例えば、製油所では最初に各種の原油が複数の流体タンクに貯蔵され、蒸留装置や脱硫装置などの各種の処理部位を搬送されて蒸留や脱硫などの各種処理が実行される。
【０００３】
このような製油所では、原油から各種処理により最終的に軽油や重油などが生成されるが、例えば、処理部位での処理の収率や、処理部位から搬出される流体の性状を算出するため、処理部位に搬入される流体の性状をデータ管理しておく必要がある。
【０００４】
そこで、従来の流体管理システムでは、処理部位に搬入される流体の性状から搬出される流体の性状や収率を算出する演算式が、各種の処理部位での処理ごとにデータ登録されている。例えば、最初の流体である原油が所定の処理部位に搬入されるとき、その処理部位から搬出される流体の性状や収率を、その搬入される原油の性状と処理の演算式から算出してデータ管理する。
【０００５】
その処理部位から搬出される流体は、例えば、次段の処理部位に搬入されるので、その処理部位から搬出される流体の性状や収率も同様に算出される。このように処理部位ごとに演算処理を実行することで、複数の処理部位を搬送される流体の性状などをデータ管理することができる。
【０００６】
【発明が解決しようとする課題】
しかし、大規模な製油所などでは、処理部位の種別と個数とが膨大であり、そこで相互搬送される流体の種別も膨大であるため、膨大な個数の処理部位から搬出される各種の流体の性状などを個々にデータ管理することは困難である。特に、現在の製油所では一般的に搬入される原油などが日毎に変更されるため、データ管理する流体の性状も日毎に変化することになる。
【０００７】
また、膨大な個数の処理部位から搬出される各種の流体の性状を個々にデータ管理するためには、流体が処理されるごとに性状の演算処理を実行する必要があるので、その演算処理の累積が膨大となって実際には困難である。しかも、処理部位に搬入される流体の性状から、搬出される流体の性状や収率を算出する演算式は極めて複雑であり、その演算式は流体や処理の種別により相違する。
【０００８】
このため、従来の流体管理システムでは、膨大な個数の複雑な演算式をデータ登録しておく必要があり、上述のように流体の性状や収率を算出するときには、複雑な演算処理を累積させることになるので、その処理負担が過大であるとともに処理結果も不正確となるので好適ではない。
【０００９】
本発明は上述のような課題に鑑みてなされたものであり、膨大な個数の処理部位を搬送される流体を簡単にデータ管理できる流体管理システムを提供することを目的とする。
【００１０】
【課題を解決するための手段】
本発明の流体管理システムは、データ記憶手段、搬入入力手段、現状検索手段、名称設定手段、流体管理手段、を有しており、データ記憶手段は、流体の少なくとも一部ごとに流体の初期名称と現状名称と処理部位での処理名称とを関連させてデータ記憶している。搬入入力手段は、初期名称と現状名称と処理名称との少なくとも初期名称がデータ設定されている流体が処理名称がデータ設定されている処理部位に搬入されることがデータ入力され、現状検索手段は、データ入力された初期名称とデータ設定されている処理名称により対応する少なくとも一つの現状名称をデータ記憶手段からデータ検索する。名称設定手段は、データ検索された現状名称とデータ入力された初期名称とデータ設定されている処理名称とを処理部位から搬出される流体にデータ設定し、流体管理手段は、データ設定された初期名称と現状名称と処理名称とで流体をデータ管理する。
【００１１】
従って、本発明の流体管理システムでは、例えば、ある処理部位での処理名称と、その処理部位に搬入される流体の初期名称と、が作業者によりデータ入力されると、その処理部位から搬出される流体の現状名称がデータ検索され、その現状名称と初期名称と処理名称とで処理部位から搬出される流体がデータ管理される。また、このような流体が次段の処理部位に搬入される場合、その処理部位での処理名称が作業者によりデータ入力されると、その処理部位から搬出される流体も現状名称がデータ検索され、現状名称と初期名称と処理名称とでデータ管理される。
【００１２】
上述のような流体管理システムにおける他の形態としては、処理部位に搬入される複数の流体の少なくとも一部ごとに処理の収率をデータ記憶している収率記憶手段と、処理部位に搬入される複数の流体の搬入比率がデータ入力される比率入力手段と、データ入力された搬入比率と収率とを乗算して処理部位から搬出される複数の流体の搬出比率を算出する比率算出手段と、も有している。従って、本発明の流体管理システムでは、処理部位から搬出される複数の流体の搬出比率が簡単な演算処理でデータ生成される。
【００１３】
上述のような流体管理システムにおける他の形態としては、流体の少なくとも一部ごとに性状をデータ記憶している性状記憶手段と、比率算出手段で算出された処理部位から搬出される流体の現状名称ごとの性状を搬出比率と性状との乗算により算出する性状算出手段も有している。従って、本発明の流体管理システムでは、処理部位から搬出される流体の性状が、煩雑な演算処理を累積させることなく、簡単な演算処理でデータ生成される。
【００１４】
なお、本発明で云う流体とは、処理部位を搬送されて処理されるものであり、例えば、液体、気体、ゲル、粉体、これらの組み合わせ、等の状態の燃料や薬品などであることが可能である。また、処理部位とは、搬入された流体を処理して搬出する部位を意味しているが、その処理としては単純な貯蔵も可能である。
【００１５】
また、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００１６】
また、本発明で云う各種手段は、個々に独立した存在である必要もなく、複数の手段が１個の部材として形成されていること、ある手段が他の手段の一部であること、ある手段の一部と他の手段の一部とが重複していること、等も可能である。
【００１７】
また、本発明で云うデータ処理装置とは、コンピュータプログラムを読み取って対応する処理動作を実行できるハードウェアであれば良く、例えば、ＣＰＵ（Ｃｅｎｔｒａｌ　Ｐｒｏｃｅｓｓｉｎｇ　Ｕｎｉｔ）を主体として、これに、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）、Ｉ／Ｆ（Ｉｎｔｅｒｆａｃｅ）ユニット、等の各種デバイスが接続されたハードウェアなどで良い。
【００１８】
なお、本発明でコンピュータプログラムに対応した各種動作をデータ処理装置に実行させることは、各種デバイスをデータ処理装置に動作制御させることなども意味している。例えば、データ処理装置に各種データを記憶させることは、データ処理装置に固定されているＲＡＭ等の情報記憶媒体にＣＰＵが各種データを格納すること、データ処理装置に交換自在に装填されているＦＤ（Ｆｌｅｘｉｂｌｅ　Ｄｉｓｃ−ｃａｒｔｒｉｄｇｅ）等の情報記憶媒体にＣＰＵがＦＤＤ（ＦＤ　Ｄｒｉｖｅ）で各種データを格納すること、等で良い。
【００１９】
また、本発明で云う情報記憶媒体とは、データ処理装置に各種処理を実行させるためのコンピュータプログラムが事前に格納されたハードウェアであれば良く、例えば、データ処理装置を一部とする装置に固定されているＲＯＭおよびＨＤＤ（Ｈａｒｄ　Ｄｉｓｃ　Ｄｒｉｖｅ）、データ処理装置を一部とする装置に交換自在に装填されるＣＤ（Ｃｏｍｐａｃｔ　Ｄｉｓｃ）−ＲＯＭおよびＦＤ、等で実施することが可能である。
【００２０】
【発明の実施の形態】
［実施の形態の構成］
本発明の実施の形態の流体管理システム１００は、図２に示すように、コンピュータの主体となるハードウェアとしてＣＰＵ１０１を有しており、このＣＰＵ１０１には、バスライン１０２により、ＲＯＭ１０３、ＲＡＭ１０４、ＨＤＤ１０５、ＦＤ１０６が交換自在に装填されるＦＤＤ１０７、ＣＤ−ＲＯＭ１０８が交換自在に装填されるＣＤドライブ１０９、入力操作デバイスの一つであるキーボード１１０、入力操作デバイスの一つであるマウス１１１、画像表示デバイスであるディスプレイユニット１１２、Ｉ／Ｆユニット１１３、等のハードウェアが接続されている。
【００２１】
本実施の形態の流体管理システム１００では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のためのコンピュータプログラムおよびリソースがソフトウェアとして格納されている。このようなソフトウェアは流体管理システム１００に事前にインストールされており、流体管理システム１００の起動時にＣＰＵ１０１にデータ読取される。
【００２２】
このようにＣＰＵ１０１が適正なコンピュータプログラムをデータ読取して各種処理を実行することにより、本実施の形態の流体管理システム１００は、図１に示すように、データ記憶手段でもある収率記憶手段１２０、データ記憶手段でもある性状記憶手段１２１、搬入入力手段１２２、現状検索手段１２３、名称設定手段１２４、流体管理手段１２５、比率入力手段１２６、比率算出手段１２７、性状算出手段１２８、等の各種手段を各種機能として論理的に有している。
【００２３】
収率記憶手段１２０は、ＲＡＭ１０４に格納されているコンピュータプログラムに対応してＣＰＵ１０１が認識するようにＨＤＤ１０５に構築された記憶エリアなどに相当し、処理部位に搬入される流体ごとに、その流体の初期名称と現状名称と処理部位での処理名称と収率とを関連させてデータ記憶している。
【００２４】
より具体的には、本形態の流体管理システム１００は、製油所に散在する多数の処理部位である流体タンクや処理装置を相互搬送される、液体燃料や気体燃料などの流体をデータ管理することに利用される。例えば、処理名称“α”の処理により、初期名称“ａ”の流体から現状名称“ｃ”の流体が“３０（％）”の収率で生成されるとともに現状名称“ｄ”の流体が“７０（％）”の収率で生成され、初期名称“ｂ”の流体から現状名称“ｃ”の流体が“４０（％）”の収率で生成されるとともに現状名称“ｄ”の流体が“６０（％）”の収率で生成される場合、図３に示すように、これらのことが初期名称と現状名称と処理名称との関連および収率として一覧表などでデータ設定されている。
【００２５】
性状記憶手段１２１も、ＨＤＤ１０５に構築された記憶エリアなどに相当し、流体の少なくとも一部ごとに流体の初期名称と現状名称と処理部位での処理名称とを関連させてデータ記憶しており、流体の少なくとも一部ごとに初期名称と現状名称と処理名称と性状とを関連させてデータ記憶している。
【００２６】
より具体的には、前述の処理名称“α”の処理により初期名称“ａ”の流体から生成された現状名称“ｃ”の流体“ｃ−ａ−α”の、性状項目“Ｓ１”の数値が“１６”で性状項目“Ｓ２”の数値が“５０”の場合、図４に示すように、これらのことが流体ごとの性状として一覧表などでデータ設定されている。なお、上述の性状項目は、液体燃料などの流体の性状を示すもので、例えば、オクタン価などからなる。
【００２７】
搬入入力手段１２２は、ＣＰＵ１０１がコンピュータプログラムに対応してキーボード１１０の入力データを認識する機能などに相当し、初期名称と現状名称と処理名称との少なくとも初期名称がデータ設定されている流体が処理名称がデータ設定されている処理部位に搬入されることがデータ入力される。現状検索手段１２３は、ＣＰＵ１０１がＨＤＤ１０５を動作制御する機能などに相当し、データ入力された初期名称とデータ設定されている処理名称により対応する少なくとも一つの現状名称を収率記憶手段１２０からデータ検索する。
【００２８】
以下は同様に、ＣＰＵ１０１が所定のデータ処理を実行する機能などに相当し、名称設定手段１２４は、データ検索された現状名称とデータ入力された初期名称とデータ設定されている処理名称とを処理部位から搬出される流体にデータ設定し、流体管理手段１２５は、データ設定された初期名称と現状名称と処理名称とで流体をデータ管理する。
【００２９】
より具体的には、図５に示すように、処理名称“α”の処理部位に流体“ａ”と流体“ｂ”とが搬入される場合、作業者がキーボード１１０で処理部位に処理名称“α”を入力操作してから、そこに初期名称“ａ”の流体と初期名称“ｂ”の流体とが搬入されることをキーボード１１０で入力操作すると、図３（ａ）に示すように、現状名称“ｃ”の流体と現状名称“ｄ”の流体とが搬出されることがデータ検索され、図５に示すように、処理名称“α”の処理部位から名称“ｃ−ａ−α，ｃ−ｂ−α，ｄ−ａ−α，ｄ−ｂ−α”の流体が搬出されることが流体管理システム１００でデータ生成されてデータ管理される。
【００３０】
なお、処理部位に処理名称を予めデータ登録しておくことも可能であり、処理部位から処理部位への搬送経路を予めデータ登録しておくことも可能である。例えば、図５に示すように、処理名称“α”の処理部位から処理名称“β”の処理部位に現状名称“ｃ”の流体が搬送されることがデータ設定されている場合、上述のように処理名称“α”の処理部位から名称“ｃ−ａ−α，ｃ−ｂ−α”の流体が搬出されることを流体管理システム１００がデータ生成すると、これが処理名称“β”の処理部位に搬入される流体の名称としてＣＰＵ１０１にデータ認識される。
【００３１】
その場合、流体が複数の処理部位を順次搬送されても初期名称は維持され、処理名称は直前の処理部位での設定内容が適用されるので、例えば、初期名称“ｃ−ａ−α，ｃ−ｂ−α”の流体から処理名称“β”の処理により生成される現状名称“ｅ”の流体には“ｅ−ａ−β，ｅ−ｂ−β”なる名称が付与される。
【００３２】
比率入力手段１２６は、処理部位に搬入される複数の流体の搬入比率がデータ入力され、比率算出手段１２７は、データ入力された搬入比率と収率とを乗算して処理部位から搬出される複数の流体の搬出比率を算出する。
【００３３】
より具体的には、図３に示すように、流体“ａ”から流体“ｃ，ｄ”が“３０，７０（％）”の収率で生成され、流体“ｂ”から流体“ｃ，ｄ”が“４０，６０（％）”の収率で生成される場合、図５に示すように、流体“ａ，ｂ”の搬入比率が“２０，８０（％）”ならば、流体“ｃ−ａ−α”の搬出比率は“２０×３０＝６（％）”と算出され、以下同様に、流体“ｃ−ｂ−α，ｄ−ａ−α，ｄ−ｂ−α”の搬出比率は“３２，１４，４８（％）”と算出される。”
なお、上述の搬出比率は処理名称“α”の処理部位から搬出される流体の全部に対応しているが、例えば、このように搬出される流体の“ｃ”が処理対象として作業者に選択されると“６：３２＝１６：８４（％）”として“ｃ−ａ−α，ｃ−ｂ−α”の搬出比率が換算される。
【００３４】
さらに、上述のように処理名称“α”の処理部位から搬出される現状名称“ｃ”の流体“ｃ−ａ−α，ｃ−ｂ−α”が処理名称“β”の処理部位に搬入される場合、その処理名称“β”の処理では流体“ｃ−ａ−α”から流体“ｅ−ａ−β”が収率“１００（％）”で生成されるとともに、流体“ｃ−ｂ−α”から流体“ｅ−ｂ−β”が収率“１００（％）”で生成されるならば、これらの流体“ｅ−ａ−β，ｅ−ｂ−β”の搬出比率は搬入比率と同一の“１６，８４（％）”となる。
【００３５】
なお、上述の複数の流体の搬入比率などは直接にデータ入力されることもあるが、例えば、複数の流体の個々の搬入容量としてデータ入力されることもある。その場合、比率入力手段１２６は、データ入力された複数の流体の搬入容量を搬入比率に換算し、流体管理手段１２５は、複数の流体の搬入や搬出の比率とともに搬入や搬出の容量もデータ管理する。
【００３６】
性状算出手段１２８は、処理部位に搬入される複数の流体の現状名称ごとの平均的な性状を、搬入比率と複数の流体の個々の性状との乗算により算出し、処理部位から搬出される複数の流体の現状名称ごとの平均的な性状を、搬出比率と複数の流体の個々の性状との乗算により算出する。
【００３７】
より具体的には、前述のように処理名称“α”の処理部位に搬出される流体“ａ，ｂ”の搬入比率が“２０，８０（％）”とデータ入力された場合、これらの流体の所定の性状項目の数値が“２２，２０”ならば、その平均性状は“（２２×２０＋２０×８０）／１００≒２０．４”として算出される。
【００３８】
また、前述のように処理名称“α”の処理部位から搬出される流体“ｃ−ａ−α，ｃ−ｂ−α，ｄ−ａ−α，ｄ−ｂ−α”の搬出比率が“６，３２，１４，４８（％）”と算出された場合、図４に示すように、これらの流体の性状項目“Ｓ１”の数値が“１６，１８，２６，２４”ならば、現状名称“ｃ”の流体“ｃ−ａ−α，ｃ−ｂ−α”の項目“Ｓ１”の平均性状は“（１６×６＋１８×３２）／（６＋３２）≒１７．７”として算出され、現状名称“ｄ”の流体“ｄ−ａ−α，ｄ−ｂ−α”の項目“Ｓ１”の平均性状は“（２６×１４＋２４×４８）／（１４＋４８）＝２４．５”として算出される。
【００３９】
なお、上述の収率や性状は全部の流体にデータ登録されているとは限らないので、比率算出手段１２７は、収率をデータ検索するときに最初に現状名称と初期名称と処理名称とを検索キーとし、これで収率がデータ検索されないときは現状名称と初期名称とを検索キーとし、これで収率がデータ検索されないときは現状名称を検索キーとする。
【００４０】
同様に、性状算出手段１２８も、性状をデータ検索するときに最初に現状名称と初期名称と処理名称とを検索キーとし、これで収率がデータ検索されないときは現状名称と初期名称とを検索キーとし、これで収率がデータ検索されないときは現状名称を検索キーとする。
【００４１】
また、収率記憶手段１２０は、処理として流体を貯蔵する流体タンクも処理部位の一部としてデータ記憶しており、流体管理手段１２５は、作業者の手動操作により、流体の搬入元の処理部位と搬出先の処理部位と貯蔵する流体とが共通している複数の流体タンクを１個としてデータ管理する。
【００４２】
その場合、前述のように流体管理手段１２５は流体の容量もデータ管理するので、流体タンクに混合されて貯蔵されている複数の流体の個々の貯蔵容量もデータ管理する。より詳細には、流体管理システム１００は、搬出入力手段と容量算出手段と有しており（図示せず）、搬入入力手段１２２に、流体タンクに搬入される複数の流体ごとに搬入容量もデータ入力され、搬出入力手段に、流体タンクから搬出される複数の流体ごとに搬出容量がデータ入力される。
【００４３】
すると、容量算出手段は、複数の流体ごとの貯蔵容量を搬入容量の加算と搬出容量の減算とでデータ更新するので、比率算出手段１２７は、流体タンクに混合されて貯蔵されている複数の流体の貯蔵容量から貯蔵比率を算出する。さらに、性状算出手段１２８は、流体タンクに混合されて貯蔵されている複数の流体の個別の前記性状と貯蔵比率とを乗算し、その平均的な性状を算出する。なお、当然ながら、流体タンクでの複数の流体の貯蔵比率は、その流体タンクから搬出される複数の流体の搬出比率ともなる。
【００４４】
上述のようなデータ処理装置２０の各種手段は、必要によりＨＤＤ１０５やＩ／Ｆユニット１１３等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００４５】
このようなコンピュータプログラムは、例えば、流体の少なくとも一部ごとに初期名称と現状名称と処理名称と収率と性状とを関連させてＨＤＤ１０５などにデータ記憶させること、少なくとも初期名称がデータ設定されている流体が処理名称がデータ設定されている処理部位に搬入されることのキーボード１１０などによるデータ入力を受け付けること、データ入力された初期名称とデータ設定されている処理名称により対応する現状名称をデータ検索すること、データ検索された現状名称とデータ入力された初期名称とデータ設定されている処理名称とを処理部位から搬出される流体にデータ設定すること、データ設定された初期名称と現状名称と処理名称とで流体をデータ管理すること、処理部位に搬入される複数の流体の搬入比率のデータ入力を受け付けること、データ入力された搬入比率と収率とを乗算して処理部位から搬出される複数の流体の搬出比率を算出すること、算出された処理部位から搬出される流体の現状名称ごとの性状を搬出比率と性状との乗算により算出すること、等の処理動作をＣＰＵ１０１等に実行させるためのソフトウェアとしてＲＡＭ１０４等の情報記憶媒体に格納されている。
【００４６】
［実施の形態の動作］
上述のような構成において、本形態の流体管理システム１００は、前述のように製油所に散在する多数の流体タンクや処理装置を相互搬送される液体燃料などの流体をデータ管理することに利用される。
【００４７】
より具体的には、流体管理システム１００には、図３および図４に示すように、流体ごとに初期名称と現状名称と処理名称と収率とを関連させてデータ登録する収率登録フォームと、初期名称と現状名称と処理名称からなる流体の搬出名称ごとに性状を関連させてデータ登録する性状登録フォームと、がリソースとしてデータ登録されているので、作業者は所望によりキーボード１１０の手動操作などで初期名称と現状名称と処理名称と収率と性状とを流体管理システム１００にデータ登録する。
【００４８】
また、複数の処理部位での流体の搬送関係が、例えば、本出願人が特願２００２−２３６４４３号として出願した発明のように、作業者により流体管理システム１００にデータ登録されてデータ管理されるので、図５および図６に示すように、作業者は所望によりキーボード１１０の手動操作などで処理部位に処理名称を流体管理システム１００にデータ入力してデータ登録する（ステップＳ１，Ｓ２）。
【００４９】
つぎに、このように処理部位に処理名称がデータ登録された状態で、その処理部位に搬入される流体の初期名称を、作業者は所望によりキーボード１１０の手動操作などで流体管理システム１００にデータ入力する（ステップＳ３）。すると、この流体管理システム１００は、初期名称と処理名称から現状名称をデータ検索し（ステップＳ４）、その現状名称と初期名称と処理名称とを処理部位から搬出される流体にデータ設定してデータ管理する（ステップＳ５）。
【００５０】
なお、上述のように複数の処理部位での流体の相互搬送が流体管理システム１００にデータ登録されている場合、前段の処理部位が搬出する流体は、後段の処理部位に搬入される流体として自動的にデータ設定されるので、複数の処理部位を順次搬送される流体の各々に現状名称と初期名称と処理名称とが順次設定される。
【００５１】
また、図７に示すように、処理部位に複数の流体が搬入される場合、その複数の流体の搬入比率を、作業者は所望によりキーボード１１０の手動操作などで流体管理システム１００にデータ入力する（ステップＴ１）。すると、この流体管理システム１００は、処理部位に搬入される流体と搬出される流体との各種名称と処理部位の処理名称から収率をデータ検索し（ステップＴ２）、その収率と搬入比率とを乗算して処理部位から搬出される複数の流体の搬出比率を算出し（ステップＴ３）、図５に示すように、この搬出比率も処理部位から搬出される流体ごとにデータ設定してデータ管理する（ステップＴ４）。
【００５２】
さらに、図８に示すように、作業者が所望によりキーボード１１０の手動操作などで平均性状の算出指示をデータ入力すると（ステップＥ１）、この流体管理システム１００は、現状名称と初期名称と処理名称から流体ごとの性状をデータ検索する（ステップＥ２）。その性状と搬出比率とを乗算して処理部位から搬出される流体の現状名称ごとの平均的な性状を算出し（ステップＥ３）、例えば、その平均的な性状をディスプレイ１１２に一覧表のデータ表示などで作業者に出力する（ステップＥ４）。
【００５３】
なお、上述の初期名称や処理名称は全部の流体にデータ登録されているとは限らないので、本形態の流体管理システム１００は、収率や性状をデータ検索するとき、最初に現状名称と初期名称と処理名称とを検索キーとし、これで収率がデータ検索されないときは現状名称と初期名称とを検索キーとし、これで収率がデータ検索されないときは現状名称を検索キーとする。
【００５４】
また、本形態の流体管理システム１００は、流体を貯蔵する流体タンクも処理部位の一部としてデータ記憶しており、作業者が所望によりキーボード１１０の手動操作などで指示すると、同一の流体を貯蔵している複数の流体タンクを１個としてデータ管理する。
【００５５】
さらに、本形態の流体管理システム１００は、流体タンクに混合されて貯蔵されている複数の流体の個々の貯蔵容量もデータ管理し、その場合、流体タンクへの複数の流体の搬入容量と搬出容量とがデータ入力されると、複数の流体ごとの貯蔵容量を搬入容量の加算と搬出容量の減算とでデータ更新する。
【００５６】
また、本形態の流体管理システム１００は、上述のように流体タンクに混合されて貯蔵されている複数の流体の個々の貯蔵容量をデータ管理するので、作業者が所定の入力操作を実行すると、流体タンクに混合されて貯蔵されている複数の流体の貯蔵容量から、搬出比率ともなる貯蔵比率を算出する。さらに、作業者が所定の入力操作を実行すると、流体タンクに混合されて貯蔵されている複数の流体の個別の性状と貯蔵比率とを乗算し、その平均的な性状を算出する。
【００５７】
［実施の形態の効果］
本実施の形態の流体管理システム１００では、上述のように初期名称と現状名称と処理名称との少なくとも初期名称がデータ設定されている流体が処理名称がデータ設定されている処理部位に搬入されることがデータ入力されると、データ入力された初期名称とデータ設定されている処理名称により対応する少なくとも一つの現状名称をデータ検索する。
【００５８】
そして、データ検索された現状名称とデータ入力された初期名称とデータ設定されている処理名称とを処理部位から搬出される流体にデータ設定してデータ管理するので、処理部位から搬出される流体に現状名称を自動的にデータ設定することができ、処理部位から搬出される流体を現状名称と初期名称と処理名称とで簡単かつ的確にデータ管理することができる。
【００５９】
しかも、処理部位に搬入される複数の流体の搬入比率がデータ入力されると、データ入力された搬入比率と収率とを乗算して処理部位から搬出される複数の流体の搬出比率を算出するので、処理部位から搬出される複数の流体の搬出比率を簡単な演算処理でデータ生成することができる。
【００６０】
さらに、上述のように算出された処理部位から搬出される流体の現状名称ごとの性状を搬出比率と性状との乗算により算出するので、処理部位から搬出される流体の性状を、煩雑な演算処理を累積させることなく、簡単な演算処理でデータ生成することができる。
【００６１】
特に、この流体の性状は作業者の要望によりリアルタイムにデータ生成するが、常時データ生成してデータ保持しておくことはしない。このため、例えば、搬入される原油の性状が日毎に変更されるような場合でも、膨大な個数の流体の性状をデータ保持しておく必要がない。
【００６２】
しかも、収率や性状をデータ検索するとき、最初に現状名称と初期名称と処理名称とを検索キーとし、これで収率がデータ検索されないときは現状名称と初期名称とを検索キーとし、これで収率がデータ検索されないときは現状名称を検索キーとする。
【００６３】
このため、初期名称や処理名称がデータ登録されていない流体の収率や性状もデータ検索することができ、全部の流体に現状名称と初期名称と処理名称との全部をデータ登録する必要がないので、このデータ登録の作業分担を軽減することができる。
【００６４】
さらに、作業者の所望により、搬入元と搬出先と貯蔵流体とが共通している複数の流体タンクを１個としてデータ管理するので、データ管理する処理部位の個数を削減することができる。しかも、流体タンクに混合されて貯蔵されている複数の流体の個々の貯蔵容量もデータ管理することができ、その貯蔵容量から流体タンクに混合されて貯蔵されている複数の流体の貯蔵比率も算出することができ、その貯蔵比率から流体タンクに混合されて貯蔵されている複数の流体の平均的な性状を算出することもできる。
【００６５】
［実施の形態の変形例］
本発明は上記形態に限定されるものではなく、その要旨を逸脱しない範囲で各種の変形を許容する。例えば、上記形態ではＲＡＭ１０４等に格納されているコンピュータプログラムに対応してＣＰＵ１０１が動作することにより、流体管理システム１００の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【００６６】
【発明の効果】
本発明の流体管理システムでは、流体の少なくとも一部ごとに流体の初期名称と現状名称と処理部位での処理名称とを関連させてデータ記憶しており、初期名称と現状名称と処理名称との少なくとも初期名称がデータ設定されている流体が処理名称がデータ設定されている処理部位に搬入されることがデータ入力されると、データ入力された初期名称とデータ設定されている処理名称により対応する少なくとも一つの現状名称をデータ検索し、データ検索された現状名称とデータ入力された初期名称とデータ設定されている処理名称とを処理部位から搬出される流体にデータ設定し、データ設定された初期名称と現状名称と処理名称とで流体をデータ管理することにより、処理部位から搬出される流体に現状名称を自動的にデータ設定することができ、処理部位から搬出される流体を現状名称と初期名称と処理名称とで簡単かつ的確にデータ管理することができる。
【００６７】
上述のような流体管理システムにおける他の形態としては、流体の少なくとも一部ごとに処理の収率もデータ記憶しており、処理部位に搬入される複数の流体の搬入比率がデータ入力されると、データ入力された搬入比率と収率とを乗算して処理部位から搬出される複数の流体の搬出比率を算出することにより、処理部位から搬出される複数の流体の搬出比率を簡単な演算処理でデータ生成することができる。
【００６８】
上述のような流体管理システムにおける他の形態としては、流体の少なくとも一部ごとに性状もデータ記憶しており、算出された処理部位から搬出される流体の現状名称ごとの性状を搬出比率と性状との乗算により算出することにより、処理部位から搬出される流体の性状を、煩雑な演算処理を累積させることなく、簡単な演算処理でデータ生成することができ、特に、この流体の性状は必要によりデータ生成するが常時データ保持しておくことはしないので、例えば、搬入される原油の性状が日毎に変更されるような場合でも、膨大な個数の流体の性状をデータ保持しておく必要がない。
【図面の簡単な説明】
【図１】本発明の実施の形態の流体管理システムの論理構造を示す模式図である。
【図２】流体管理システムの物理構造を示すブロック図である。
【図３】処理名称ごとに初期名称と現状名称と収率とがデータ登録されている状態を示す模式図である。
【図４】流体ごとに性状がデータ登録されている状態を示す模式図である。
【図５】処理部位を搬送される流体がデータ管理されている状態を示す模式図である。
【図６】流体管理システムのデータ処理方法の一部を示すフローチャートである。
【図７】流体管理システムのデータ処理方法の一部を示すフローチャートである。
【図８】流体管理システムのデータ処理方法の一部を示すフローチャートである。
【符号の説明】
１００　　流体管理システム
１０１　　コンピュータの主体であるＣＰＵ
１０３　　情報記憶媒体であるＲＯＭ
１０４　　情報記憶媒体であるＲＡＭ
１０５　　情報記憶媒体であるＨＤＤ
１０６　　情報記憶媒体であるＦＤ
１０８　　情報記憶媒体であるＣＤ−ＲＯＭ
１２１　　データ記憶手段
１２２　　搬入入力手段
１２３　　現状検索手段
１２４　　名称設定手段
１２５　　流体管理手段
１２６　　比率入力手段
１２７　　比率算出手段
１２８　　性状算出手段
【図１】
2004136942.tif 000003
【図２】
2004136942.tif 000004
【図３】
2004136942.tif 000005
【図４】
2004136942.tif 000006
【図５】
2004136942.tif 000007
【図６】
2004136942.tif 000008
【図７】
2004136942.tif 000009
【図８】
2004136942.tif 000010